(57)【特許請求の範囲】
【請求項１】
待機電源で動作し、かつ、リモート制御によって前記待機電源からの電力供給のオン／オフを管理する管理手段を備える情報機器の制御装置であって、
前記待機電源の供給ラインに設置され、前記待機電源をオン／オフするスイッチと、
予め設定された前記待機電源をオフする期間に基づいて、前記スイッチを制御する制御回路と、
前記待機電源のオフ時に、前記制御回路に電力を供給する電力供給源と、を備え、
前記制御回路は、前記タイマーの期間経過に前記待機電源がオンになるよう前記スイッチを制御する、制御装置。
【請求項２】
前記制御回路は、
前記待機電源をオフする期間が設定され、前記待機電力のオフ時にカウント動作するタイマーと、
前記タイマーの期間経過に前記待機電源がオンになるようにスイッチを制御するスイッチ制御回路と、
を備える請求項１に記載の制御装置。
【請求項３】
前記制御回路は、プログラマブルロジックデバイスであり、
前記プログラマブルロジックデバイスは、タイマーレジスタと、ＦＥＴ  ＯＦＦレジスタとを備える、請求項１に記載の制御装置。
【請求項４】
前記電力供給源は、電池、又は、スーパーキャパシタである、請求項１から３のいずれか１つに記載の制御装置。
【請求項５】
前記待機電源の前記供給ライン上に、前記電力供給源から前記管理手段への電力供給を止めるための整流素子を備える、請求項１から４のいずれか１つに記載の制御装置。
【請求項６】
請求項１から５のいずれか１つに記載の制御装置を含む、情報機器。
【請求項７】
前記情報機器は、押しボタン式スイッチを備え、
前記制御回路は、前記押しボタン式スイッチの押下に基づいて、前記スイッチのオフを解除するスイッチ制御信号を出力する請求項６に記載の情報機器。
【請求項８】
前記情報機器は、サーバ、ネットワーク機器、又はストレージ機器である、
請求項７に記載の情報機器。
【請求項９】
待機電源で動作し、かつ、リモート制御によって前記待機電源からの電力供給のオン／オフを管理する管理手段を備える情報機器の制御方法であって、
前記待機電源をオフする任意の期間を設定し、
前記待機電源をオフにし、
前記待機電源以外の電力供給源からの電力供給時に、前記設定された期間経過後に前記待機電源のオンを指示する、制御方法。
【請求項１０】
待機電源で動作し、かつ、リモート制御によって前記待機電源からの電力供給のオン／オフを管理する管理手段を備える情報機器の制御プログラムであって、
コンピュータに、
前記待機電源をオフする任意の期間を設定し、
前記待機電源をオフにし、
前記待機電源以外の電力供給源からの電力供給時に、前記設定された期間経過後に前記待機電源のオンを指示する、ことを実行させる制御プログラム。
【発明の詳細な説明】
【技術分野】
【０００１】
本発明は、電源を制御する制御装置等に関し、特に、待機電源の制御に関する。
【背景技術】
【０００２】
ネットワークに接続されたサーバは、管理ＰＣ（Ｐｅｒｓｏｎａｌ  Ｃｏｍｐｕｔｅｒ）の命令によって、停止中のサーバの電源をＯＮにしてシステムを起動させるＷａｋｅ  Ｏｎ  ＬＡＮ（Ｌｏｃａｌ  Ａｒｅａ  Ｎｅｔｗｏｒｋ）に対応する。このため、停止中のサーバの一部の制御回路には、待機電力が供給される。
【０００３】
一般に、サーバの待機電力は、数ワット程度であるが、サーバのＡＣ（Ａｌｔｅｒｎａｔｉｎｇ  Ｃｕｒｒｅｎｔ）電源は、数百ワット程度の消費電力で動作する際に電力効率がよくなるように設定されており、待機時における電源の電力効率は低い。特に、ラックサーバのように多くのサーバで構成されたシステム環境では、停止状態のサーバの数が増えるにつれて、無駄な待機電力が増大することになる。
【０００４】
例えば、サーバ停止時の待機電力を削減するために自動電源制御装置（ＡＯＣ：Ａｕｔｏｍａｔｉｃ  Ｏｐｅｒａｔｉｏｎ  Ｃｏｎｔｒｏｌｌｅｒ）を用いて、リモート制御によりサーバのＡＣ電源のＯＦＦ／ＯＮを制御する技術が特許文献１に開示されている。特許文献１の技術では、サーバ停止時にＡＣ電源をＯＦＦにすることで、サーバの待機電力を削減することが可能となる。
【先行技術文献】
【特許文献】
【０００５】
【特許文献１】特開平８−１６６８３９号公報
【発明の概要】
【発明が解決しようとする課題】
【０００６】
図８は、ＡＯＣ又はＵＰＳ（Ｕｎｉｎｔｅｒｒｕｐｔｉｂｌｅ  Ｐｏｗｅｒ  Ｓｕｐｐｌｙ）を用いて、サーバシステムの構成を示す概念図である。ＡＯＣ又はＵＰＳを用いて、サーバのＡＣ電源のＯＦＦ／ＯＮを制御する方法は、データセンターのように多数のサーバが設置されている場合、ＡＯＣ等の電源ポートとサーバとケーブル接続、又は、ＡＯＣ等の設定が必要となり、サーバのシステム運用が複雑になる。
【０００７】
このように、ＡＯＣ又はＵＰＳを用いることなく、リモート制御によって情報機器の待機電源のＯＦＦ／ＯＮを制御する技術が求められている。
【０００８】
本発明の目的は、ＡＯＣ又はＵＰＳを用いることなく、リモート制御によって情報機器の待機電源のＯＦＦ／ＯＮを実行できる技術を提供することにある。
【課題を解決するための手段】
【０００９】
本発明の制御装置は、待機電源で動作し、かつ、リモート制御によって前記待機電源からの電力供給のオン／オフを管理する管理手段を備える情報機器の制御装置であって、前記待機電源の供給ラインに設置され、前記待機電源をオン／オフするスイッチと、予め設定された前記待機電源をオフする期間に基づいて、前記スイッチを制御する制御回路と、前記待機電源のオフ時に、前記制御回路に電力を供給する電力供給源と、を備え、前記制御回路は、前記タイマーの期間経過に前記待機電源がオンになるよう前記スイッチを制御する。
【００１０】
本発明の制御方法は、待機電源で動作し、かつ、リモート制御によって前記待機電源からの電力供給のオン／オフを管理する管理手段を備える情報機器の制御方法であって、前記待機電源をオフする任意の期間を設定し、前記待機電源をオフにし、前記待機電源以外の電力供給源からの電力供給時に、前記設定された期間経過後に前記待機電源のオンを指示する。
【００１１】
本発明の制御プログラムは、待機電源で動作し、かつ、リモート制御によって前記待機電源からの電力供給のオン／オフを管理する管理手段を備える情報機器の制御プログラムであって、前記待機電源をオフする任意の期間を設定し、前記待機電源をオフにし、前記待機電源以外の電力供給源からの電力供給時に、前記設定された期間経過後に前記待機電源のオンを指示する、ことをコンピュータに実行させる。
【発明の効果】
【００１２】
本発明は、ＡＯＣ又はＵＰＳを用いることなく、リモート制御によって情報機器の待機電源のＯＦＦ／ＯＮを実行することができる。
【図面の簡単な説明】
【００１３】
【図１】第１の実施形態に係る制御装置を含むサーバの構成を示すブロック図である。
【図２】制御装置内の制御回路の構成を示すブロック図である。
【図３】第１の実施形態の制御装置の動作を示すフローチャートである。
【図４】第１の実施形態を用いたサーバシステムの構成を示す概念図である。
【図５】第２の実施形態に係る制御装置を含むサーバの構成を示すブロック図である。
【図６】第２の実施形態に係る制御装置の動作を示すフローチャート図である。
【図７】第１、２の実施形態におけるサーバをコンピュータ装置で実現したハードウエア構成を示す図である。
【図８】関連技術によるサーバシステムの構成を示す概念図である。
【発明を実施するための形態】
【００１４】
本発明の第１の実施形態に係る制御装置を含むサーバについて、図面を用いて説明する。図１は、制御装置を含むサーバの構成を示すブロック図である。図１に示すように、サーバ２０は、管理ＰＣ３０とＬＡＮで接続されている。サーバ２０は、ＰＳＵ２１、制御装置２２、負荷回路２３、ＢＭＣ（Ｂａｓｅｂｏａｒｄ  Ｍａｎａｇｅｍｅｎｔ  Ｃｏｎｔｒｏｌｌｅｒ：ベースボードマネージメントコントローラ）２７０を備える。
【００１５】
サーバ２０のＰＳＵ２１は、電源を分配するためのＰＤＵ（ＰｏｗｅｒＤｉｓｔｒｉｂｕｔｉｏｎＵｎｉｔ）１０と電源ケーブルで接続される。ＰＤＵ１０は、例えば、データセンターで供給される商業電源をサーバラック内のサーバ又はルータに配電するための電源コンセント（電源タップ）である。
【００１６】
ＰＳＵ２１は、サーバ２０内の負荷回路２３にメイン電源（ＤＣ電源）を供給し、制御装置２２、ＢＭＣ２７に待機電源（例えば、ＡＣ電源）を供給する機能を有する。
【００１７】
サーバ２０の負荷回路２３は、例えば、ＣＰＵ（Ｃｅｎｔｒａｌ  Ｐｒｏｃｅｓｓｉｎｇ  Ｕｎｉｔ）、記憶装置のようにサーバを構成する回路又は装置である。
【００１８】
サーバ２０のＢＭＣ２７は、例えば、サーバ２０内の状態制御を行うファームウェア（ＢＭＣ−ＦＷ）が格納されているＬＳＩチップである。ＢＭＣ２７は、待機電源で動作し、かつ、管理ＰＣ３０からのリモート制御によって待機電源の供給のオン／オフする機能を有する。
【００１９】
サーバ２０の制御装置２２は、スイッチ２５、電力供給源２４、制御回路２８を備える。
【００２０】
制御装置２２のスイッチ２５は、ＰＳＵ２１からＢＭＣ２７、制御回路２８への待機電源の供給ライン上に設置されている。スイッチ２５の一方は、ＰＳＵ２１の待機電源に接続され、スイッチ２５の他方は、ＢＭＣ２７及び制御回路２８に接続されている。スイッチ２５は、ＰＳＵ２１からＢＭＣ２７、制御回路２８に供給される待機電源のオン／オフを切り替える機能を有する。
【００２１】
制御装置２２の電力供給源２４は、スイッチ２５の切り替えによりＰＳＵ２１からの待機電源がオフになった際に、制御回路２８を動作させるための電力を供給する機能を有する。電力供給源２４は、例えば、電池又はキャパシタである。電池は、充放電が可能な２次電池が好ましい。
【００２２】
制御装置２２の制御回路２８は、スイッチ制御信号をスイッチ２５に送信し、スイッチ２５のオン・オフを制御する機能を有する。制御装置２２の制御回路２８の構成について、図面を用いて説明する。
【００２３】
図２は、制御装置２２の制御回路２８の構成を示すブロック図である。制御回路２８は、タイマー３１、スイッチ制御回路３２を備える。制御回路２８には、スイッチ２５がオンの場合、ＰＳＵ２１から待機電源が供給され、スイッチ２５がオフの場合、電力供給源２４から動作のための電力が供給される。
【００２４】
制御回路２８のタイマー３１は、タイマー機能を有し、ＢＭＣ２７から待機電源をＯＦＦする期間（時間）の設定を受付ける。タイマー３１は、スイッチ制御回路３２からの指示でタイマー動作を開始し、タイマー動作の完了後に設定された期間の経過をスイッチ制御回路３２に通知する。
【００２５】
制御回路２８のスイッチ制御回路３２は、ＢＭＣ２７からの待機電源をオフにする指示を受付け、スイッチ２５に対してスイッチをオフにするスイッチ制御信号を送信し、同時にタイマー３１に対して設定された期間までのタイマー動作を指示する。
【００２６】
また、スイッチ制御回路３２は、スイッチ２５によって待機電源からの電力供給がオフとなる前、又は、オフとなると同時に、電力の供給元をＰＳＵ２１から電力供給源２４に切り替える。
【００２７】
次に、スイッチ制御回路３２は、タイマー３１からタイマー動作完了の通知を受付けた後、スイッチ２５に対してスイッチをオンにするスイッチ制御信号を送信する。そしてスイッチ制御回路３２は、スイッチ２５のオンによるＰＳＵ２１からの待機電源の供給を確認し、電力の供給元を電力供給源２４からＰＳＵ２１に切り替える。
【００２８】
管理ＰＣ３０は、サーバ２０を管理するＰＣであり、サーバ２０のＢＭＣ２７を介して外部から遠隔操作によりサーバ２０の電源のオン／オフを制御する機能を有する。
【００２９】
次に、本発明の第１の実施形態に係る制御装置の動作について、図面を用いて説明する。図３は、第１の実施形態の制御装置の動作を示すフローチャートである。図３に示すように、まず、制御回路２８は、サーバ２０のＢＭＣ２７を経由して管理ＰＣ３０からタイマー設定を取得する。具体的には、制御回路２８は、タイマー３１に対し待機電源をオフにする任意の期間ｘを設定する（ステップＳ１）。
【００３０】
次に、制御回路２８は、ＢＭＣ２７を経由して管理ＰＣ３０から待機電源のＯＦＦの指示を取得する。制御回路２８のスイッチ制御回路３２は、スイッチ２５のスイッチがオフになり待機電源の供給が無くなる前に電池２４０から電力が供給に切り替える（スイッチＳ２）。
【００３１】
制御回路２８のスイッチ制御回路３２は、スイッチ２５にスイッチオフのＦＥＴ制御信号を送信するとともに、タイマー３１にカウントを開始させる（ステップＳ３）。
【００３２】
そして、タイマー３１からタイマー動作完了の通知を受付けた後、制御回路２８のスイッチ制御回路３２は、スイッチ２５に対してスイッチオンのスイッチ制御信号を送信する（ステップ４）。
【００３３】
（変形例）
第１の実施形態は、ＢＭＣ２７のようにサーバの状態を制御可能な回路が搭載されたサーバ全般に適用することができる。また、サーバに限定されるものではなく、例えば、情報機器の状態を制御可能な管理回路を備え、待機電源を用いるネットワーク機器又はストレージ機器にも適用可能である。
【００３４】
第１の実施形態では、待機電源としてＡＣ電源の例を説明したが、これに限られるものではなく、待機電源にＤＣ電源を用いる情報機器にも適用することができる。
【００３５】
第１の実施形態に対して、スイッチ制御回路３２に管理ＰＣ３０との通信機能（例えば、ＬＡＮ機能）を設けることで、スイッチ制御回路３２に対してスイッチオフを解除する指示を与えることが可能となる。
【００３６】
第１の実施形態では、管理ＰＣ３０とＢＭＣ２７との通信としてＬＡＮを用いる接続について説明したがこれに限られるものではない。例えば、ネットワーク経由で電源制御を実行できる他のプロトコルを用いてもよい。
【００３７】
第１の実施形態では、電力供給源２４の一例として電池を示したが、例えば、スーパーキャパシタ又は外部機器（ＰＣＩカードやＵＳＢデバイス等）を用いてもよい。
【００３８】
（第１の実施形態の効果）
第１の実施形態による制御装置によれば、ＡＯＣ又はＵＰＳを用いることなく、リモート制御によって情報機器の待機電源のＯＦＦ／ＯＮを実行することができる。その理由は、待機電源をオフによってＢＭＣ２７に供給される待機電源が断たれても、電力供給源２４の電力供給で動作する制御回路２８によって待機電源のオフを解除できるからである。これにより、再びＢＭＣ２７に待機電源が供給され、管理ＰＣ３０がＢＭＣ２７を制御できるようになる。
【００３９】
図４は、第１の実施形態に係る制御装置２２を含むサーバ２０を用いたサーバシステムの構成を示す概念図である。図４に示すように、サーバシステムは、第１の実施形態の制御装置２２を含むサーバ２０に対して、管理ＰＣ３０がハブ５０を介してリモート制御する構成である。
【００４０】
第１の実施形態によれば、制御装置２２を含むサーバ２０を用いたサーバシステムは、ＡＯＣを用いる必要がなく、リモート制御で待機電源のＯＮ／ＯＦＦを制御することができる。このため、ＡＯＣ等へのケーブル接続およびＡＯＣ等に対する設定が不要となり、省電力化とシステム運用の簡易化を両立させることができる。
【００４１】
（第２の実施形態）
次に、本発明の第２の実施形態に係る制御装置を含むサーバについて、図面を用いて説明する。図５は、第２の実施形態に係る制御装置を含むサーバの構成を示すブロック図である。図５に示すように、サーバ２００は、ＰＳＵ２１０、制御デバイス２２０、ＣＰＵ２３０、電池２４０、ＦＥＴ２５０、ダイオード２６０、ＰＬＤ２８０を備える。
【００４２】
サーバ２００のＰＳＵ２１０は、ＰＤＵ１００に接続され、制御デバイス２２０及びＣＰＵ２３０に主電源を供給し、さらに、制御デバイス２２０、ＢＭＣ２７０、ＰＬＤ２８０にＡＣ電源（待機電源）を供給する機能を有する。ＰＤＵ１００は、電源分配装置であり、例えば、データセンターで供給される電源をサーバラック内のサーバ又はルータに配電するための電源コンセント（電源タップ）である。
【００４３】
サーバ２００の制御デバイス２２０、ＣＰＵ２３０は、それぞれＰＳＵ２１０からメイン電源（ＤＣ電源）が供給される。制御デバイス２２０は、ＢＭＣ２７０がサーバ２００内を制御するために用いるデバイスである。また、ＣＰＵ２３０は、サーバ２００が各種プログラムを実行するための演算装置である。
【００４４】
サーバ２００の電池２４０は、ＡＣ電源ＯＦＦ時にＰＬＤ２８０にＡＣ電源を供給する機能を有する。電池２４０は、ＦＥＴ２５０の出力側からＰＬＤ２８０までのＡＣ電源の供給ラインに接続され、ＰＳＵ２１０がＰＬＤ２８０にＡＣ電源を供給している間に充電し、ＰＳＵ２１０のＡＣ電源がＯＦＦとなった時に放電する。このため、ＡＣ電源がＯＦＦとなった時に、ＰＬＤ２８０にはＰＳＵ２１０のＡＣ電源が供給されることになる。
【００４５】
サーバ２００のＦＥＴ２５０は、ＰＳＵ２１０の待機電源の供給ライン上に配置され、ＡＣ電源をＯＮ／ＯＦＦするためのスイッチである。ＦＥＴ２５０は、後述するＰＬＤ２８０からのＦＥＴ制御信号によりＯＮ／ＯＦＦが制御される。
【００４６】
サーバ２００のダイオード２６０は、少なくともＢＭＣ２７０とＰＬＤ２４０の間のＡＣ電源の供給ライン上に設置され、ＰＳＵ２１０のＡＣ電源がＯＦＦとなった時に、電池２４０が供給する電源がＢＭＣ２７０側に流れないようにする整流素子である。
【００４７】
サーバ２００のＢＭＣ２７０は、サーバ２００内の状態制御を行うファームウェア（ＢＭＣ−ＦＷ）が格納されているＬＳＩチップである。
【００４８】
サーバ２００のＰＬＤ（Ｐｒｏｇｒａｍｍａｂｌｅ  ｌｏｇｉｃ  ｄｅｖｉｃｅ）２８０は、内部論理回路を定義・変更できる集積回路で構成されている。ＰＬＤ２８０は、ＢＭＣ２７０が、サーバ２００を制御するための制御デバイス２２０とのインターフェース機能を提供する。
【００４９】
さらに、ＰＬＤ２８０は、ＦＥＴ２５０に対してＯＮ／ＯＦＦ信号を出力するためのＦＥＴ  ＯＦＦレジスタ２８２、及び、ＦＥＴ  ＯＦＦレジスタ２８２のＯＦＦを解除するためのタイマーレジスタ２８１を備える。
【００５０】
ＰＬＤ２８０のタイマーレジスタ２８１には、ＡＣ電源をＯＦＦにする任意の期間を設定することができる。
【００５１】
ＢＭＣ２７０を介して、ＦＥＴ  ＯＦＦレジスタ２８２に”０”（ＦＥＴ  ＯＦＦ）が書き込まれると、ＰＬＤ２８０は、ＦＥＴ２５０にそのまま”０”（ＦＥＴ  ＯＦＦ）信号を出力するのと同時に、タイマーレジスタ２８１のカウントを開始する。
【００５２】
タイマーレジスタ２８１はカウントがｘに到達した時にＦＥＴ  ＯＦＦレジスタ２８２に”１”（ＦＥＴ  ＯＦＦ解除信号）を出力する。
【００５３】
ＰＬＤ２８０からＦＥＴ２５０に”１”（ＦＥＴ  ＯＮ信号）が出力され、ＡＣ電源はＯＮ状態になる。
【００５４】
第２の実施形態では、ＰＬＤ２８０のタイマーレジスタ２８１によって、ＢＭＣ２７０がＦＥＴ  ＯＦＦを指示してＢＭＣ２７０へのＡＣ電源の供給が断たれても、電池２４０とダイオード２６０により、ＰＬＤ２８０に電力が供給されて動作可能となる。これにより、ＰＬＤ２８０内のタイマーレジスタ２８１のカウンターがｘ（ｘはユーザーが任意に設定した時間）に到達した時、ＰＬＤ２８０は、ＦＥＴ２５０をＯＮすることで、ＢＭＣ２７０にＡＣ電源が供給される。
【００５５】
なお、サーバ２００の押しボタン式スイッチ２９０は、ＡＣ電源をＯＦＦする任意の期間ｘに到達する前にＡＣ電源をＯＮしたい場合に用いられる。具体的には、押しボタン式スイッチ２９０は、押下された時にＦＥＴ  ＯＦＦレジスタ２８２のＯＦＦを解除する。押しボタン式スイッチ２９０を押すと、ＦＥＴ  ＯＦＦレジスタに”０”（ＦＥＴ  ＯＦＦ解除信号）が出力され、ＦＥＴ２５０に”１”（ＦＥＴ  ＯＮ信号）が出力されてＡＣ電源はＯＮ状態になる。
【００５６】
また、押しボタン式スイッチ２９０は、管理ＰＣ３００からリモート制御することはできない。この場合、直接、サーバ２００の設置場所で物理的に押しボタン式スイッチ２９０を押下する必要がある。
【００５７】
管理ＰＣ３００は、サーバ２００をリモート制御する装置である。ＬＡＮ経由でサーバ２００内のＢＭＣ２７０にアクセスすることができる。管理ＰＣ３００は、ＢＭＣ２７０を使ってＰＬＤ２８０内のタイマーレジスタ２８１、あるいは、ＦＥＴ  ＯＦＦレジスタ２８２の設定をＩ２Ｃ経由で行う。
【００５８】
次に、第２の実施形態に係る制御装置の動作について図面を用いて説明する。図６は、第２の実施形態に係る制御装置の動作を示すフローチャート図である。
【００５９】
図６に示すように、まず、管理ＰＣ３００からＢＭＣ２７０経由で、ＰＬＤ２４０のタイマーレジスタ２８１にＰＳＵ２１０からのＡＣ電源をＯＦＦにしたい任意の期間ｘを設定する（ステップＳ１１）。なお、任意の期間ｘを変更する場合は、再度、管理ＰＣ３００からＢＭＣ２７０経由でタイマーレジスタ２８１を設定する。
【００６０】
次に、管理ＰＣ３００からＡＣ電源のＯＦＦの指示を受けてＢＭＣ２７０は、ＰＬＤ２８０のＦＥＴ  ＯＦＦレジスタ２８２に”０”（ＦＥＴ  ＯＦＦ）を書き込む。ＰＬＤ２８０は、ＦＥＴ２５０に”０”（スイッチＯＦＦ）のＦＥＴ制御信号を送信すると同時に、タイマーレジスタ２８１のカウントを始める（ステップＳ１２）。
【００６１】
ＦＥＴ２５０のスイッチが”０”（ＯＦＦ）になった後、ＰＳＵ２１０からのＡＣ電源は、ＢＭＣ２７０、制御デバイス２２０に供給されなくなる（ＡＣ  ＯＦＦ状態）。サーバ２００のＰＬＤ２８０は、電池２４０から電力が供給される（ステップＳ１３）。
【００６２】
ＰＬＤ２８０のタイマーレジスタ２８１のカウンターがｘに到達すると、ＦＥＴ  ＯＦＦレジスタ２８２に”１”（ＦＥＴ  ＯＦＦ解除）が書き込まれ、ＰＬＤ２８０からＦＥＴ２５０に”１”（ＯＮ）のＦＥＴ制御信号が送信される（ステップＳ１４）。ＦＥＴ２５０のスイッチが“１”（ＯＮ）になると、ＢＭＣ２７０、及び、制御デバイス２２０にＡＣ電源が供給される（ステップＳ１５）。
【００６３】
（変形例）
第２の実施形態では、電池２４０をＰＬＤ２８０のＡＣ電源の供給源としたが、例えば、スーパーキャパシタ又は外部機器（ＰＣＩカードやＵＳＢデバイス等）を供給源としてもよい。
【００６４】
第２の実施形態は、ＢＭＣ２７０のようにサーバの状態を制御が可能な回路が搭載されるサーバ全般に適用することができる。また、サーバに限定されるものではなく、例えば、情報機器の状態を制御が可能な回路を備え、待機電源を用いるネットワーク機器やストレージ機器にも適用可能である。
【００６５】
また、サーバ２００に押しボタン式スイッチ２９０を設ける代わりに、ＰＬＤ２８０に管理ＰＣ３００との通信機能（例えば、ＬＡＮ機能）を設けることで、ＰＬＤ２８０に対してＦＥＴ  ＯＦＦを解除する指示を与えることが可能となる。
【００６６】
上記の例では、ＬＡＮを用いる接続について説明したがこれに限られるものではない。例えば、電源制御をネットワーク経由で行うプロトコルを用いてもよい。
【００６７】
（第２の実施形態の効果）
第２の実施形態は、第１の実施形態と同様に、ＡＯＣ又はＵＰＳを用いることなく、リモート制御によって情報機器の待機電源（ＡＣ電源）のＯＦＦ／ＯＮを実行することができる。その理由は、待機電源をＯＦＦによってＢＭＣ２７０に供給されるＡＣ電源が断たれても、電池２４０の電力供給によって動作するＰＬＤ２８０によってＡＣ電源のＯＦＦを解除できるからである。これにより、再びＢＭＣ２７０に待機電源が供給され、管理ＰＣ３００がＢＭＣ２７０を制御することができる。
【００６８】
第２の実施形態のＰＬＤ２８０を含むサーバ２００は、ＡＯＣを用いる必要がなく、リモート制御でＡＣ電源のＯＮ／ＯＦＦを制御することができる。このため、ＡＯＣ等へのケーブル接続およびＡＯＣ等に対する設定が不要となり、省電力化とシステム運用の簡易化を両立させることができる。
【００６９】
（ハードウエア構成）
図８は、第１、２の実施形態におけるサーバ２０、２００をコンピュータ装置で実現したハードウエア構成を示す図である。
【００７０】
第１、第２の実施形態において、各端末、及び、各装置の各構成要素は、機能単位のブロックを示している。各端末、及び、各装置の各構成要素の一部又は全部は、例えば、図８に示すような情報処理装置６００とプログラムとの任意の組み合わせにより実現される。情報処理装置６００は、一例として、以下のような構成を含む。
ＣＰＵ（Ｃｅｎｔｒａｌ  Ｐｒｏｃｅｓｓｉｎｇ  Ｕｎｉｔ）６０１、
ＲＯＭ（Ｒｅａｄ  Ｏｎｌｙ  Ｍｅｍｏｒｙ）６０２、
ＲＡＭ（Ｒａｍｄｏｍ  Ａｃｃｅｓｓ  Ｍｅｍｏｒｙ）６０３、
ＲＡＭ６０３にロードされるプログラム６０４、
プログラム６０４を格納する記憶装置６０５、
記録媒体６０６の読み書きを行うドライブ装置６０７、
通信ネットワーク６０９と接続する通信インターフェース６０８、
データの入出力を行う入出力インターフェース６１０、
各構成要素を接続するバス６１１
サーバ２０、２００の各構成要素は、これらの機能を実現するプログラム６０４をＣＰＵ６０１が取得して実行することで実現される。各構成要素の機能を実現するプログラム６０４は、例えば、予め記憶装置６０５又はＲＡＭ６０３に格納されており、必要に応じてＣＰＵ６０１が読み出す。なお、プログラム６０４は、通信ネットワーク６０９を介してＣＰＵ６０１に供給されてもよいし、予め記録媒体６０６に格納されており、ドライブ装置６０７が当該プログラムを読み出してＣＰＵ６０１に供給してもよい。
【００７１】
サーバ２０、２００の実現方法には、様々な変形例がある。例えば、サーバ２０、２００は、各構成要素にそれぞれ別個の情報処理装置６００とプログラムとの任意の組み合わせにより実現されてもよい。また、サーバ２０、２００が備える複数の構成要素が、一つの情報処理装置６００とプログラムとの任意の組み合わせにより実現されてもよい。
【００７２】
また、サーバ２０、２００の各構成要素の一部又は全部は、その他の汎用または専用の回路、プロセッサ等やこれらの組み合わせによって実現される。これらは、単一のチップによって構成されてもよいし、バスを介して接続される複数のチップによって構成されてもよい。また、情報処理装置６００の代わりにＦＰＧＡ（Ｆｉｅｌｄ−Ｐｒｏｇｒａｍｍａｂｌｅ  Ｇａｔｅ  Ａｒｒａｙ）のようなプログラマブルロジックデバイスを用いてもよい。
【００７３】
さらに、サーバ２０、２００の各構成要素の一部又は全部は、上述した回路等とプログラムとの組み合わせによって実現されてもよい。
【００７４】
また、サーバ２０、２００の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００７５】
以上、実施形態を参照して本願発明を説明したが、本願発明は上記実施形態に限定されものではない。本願発明の構成や詳細には、本願発明のスコープ内で当業者が理解し得る様々な変更をすることができる。
【００７６】
また、図面中の矢印の方向は、一例を示すものであり、ブロック間の信号の向きを限定するものではない。
【００７７】
上記の実施形態の一部又は全部は、以下の付記のように記載されうるが、以下には限られない。
【００７８】
（付記１）
待機電源で動作し、かつ、リモート制御によって前記待機電源からの電力供給のオン／オフを管理する管理手段を備える情報機器の制御装置であって、
前記待機電源の供給ラインに設置され、前記待機電源をオン／オフするスイッチと、
予め設定された前記待機電源をオフする期間に基づいて、前記スイッチを制御する制御回路と、
前記待機電源のオフ時に、前記制御回路に電力を供給する電力供給源と、を備え、
前記制御回路は、前記タイマーの期間経過に前記待機電源がオンになるよう前記スイッチを制御する、制御装置。
【００７９】
（付記２）
前記制御回路は、
前記待機電源をオフする期間が設定され、前記待機電力のオフ時にカウント動作するタイマーと、
前記タイマーの期間経過に前記待機電源がオンになるようにスイッチを制御するスイッチ制御回路と、
を備える付記１に記載の制御装置。
【００８０】
（付記３）
前記制御回路は、プログラマブルロジックデバイスであり、
前記プログラマブルロジックデバイスは、タイマーレジスタと、ＦＥＴ  ＯＦＦレジスタとを備える、付記１に記載の制御装置。
【００８１】
（付記４）
前記電力供給源は、電池、又は、スーパーキャパシタである、付記１から３のいずれか１つに記載の制御装置。
【００８２】
（付記５）
前記待機電源の前記供給ライン上に、前記電力供給源から前記管理手段への電力供給を止めるための整流素子を備える、付記１から４のいずれか１つに記載の制御装置。
【００８３】
（付記６）
付記１から５のいずれか１つに記載の制御装置含む、情報機器。
【００８４】
（付記７）
前記情報機器は、押しボタン式スイッチを備え、
前記制御回路は、前記押しボタン式スイッチの押下に基づいて、前記スイッチのオフを解除するスイッチ制御信号を出力する付記６に記載の情報機器。
【００８５】
（付記８）
前記情報機器は、サーバ、ネットワーク機器、又はストレージ機器である、
付記７に記載の情報機器。
【００８６】
（付記９）
待機電源で動作し、かつ、リモート制御によって前記待機電源からの電力供給のオン／オフを管理する管理手段を備える情報機器の制御方法であって、
前記待機電源をオフする任意の期間を設定し、
前記待機電源をオフにし、
前記待機電源以外の電力供給源からの電力供給時に、前記設定された期間経過後に前記待機電源のオンを指示する、制御方法。
【００８７】
（付記１０）
待機電源で動作し、かつ、リモート制御によって前記待機電源からの電力供給のオン／オフを管理する管理手段を備える情報機器の制御プログラムであって、
コンピュータに、
前記待機電源をオフする任意の期間を設定し、
前記待機電源をオフにし、
前記待機電源以外の電力供給源からの電力供給時に、前記設定された期間経過後に前記待機電源のオンを指示する、ことを実行させる制御プログラム。
【符号の説明】
【００８８】
１０  ＰＤＵ
２０  サーバ
２１  ＰＳＵ
２２  制御装置
２３  負荷回路
２４  電力供給源
２５  スイッチ
２７  ＢＭＣ
２８  制御回路
３０  管理ＰＣ
３１  タイマー
３２  スイッチ制御回路
５０  ハブ
１００  ＰＤＵ
２００  サーバ
２１０  ＰＳＵ
２２０  制御デバイス
２３０  ＣＰＵ
２４０  電池
２５０  ＦＥＴ
２６０  ダイオード
２７０  ＢＭＣ
２８０  ＰＬＤ
２８１  タイマーレジスタ
２８２  ＦＥＴ  ＯＦＦレジスタ
２９０  押しボタン式スイッチ
３００  管理ＰＣ
６００  情報処理装置
６０１  ＣＰＵ（Ｃｅｎｔｒａｌ  Ｐｒｏｃｅｓｓｉｎｇ  Ｕｎｉｔ）
６０２  ＲＯＭ（Ｒｅａｄ  Ｏｎｌｙ  Ｍｅｍｏｒｙ）
６０３  ＲＡＭ（Ｒａｍｄｏｍ  Ａｃｃｅｓｓ  Ｍｅｍｏｒｙ）
６０４  プログラム
６０５  記憶装置
６０７  ドライブ装置
６０８  通信インターフェース
６１０  入出力インターフェース
６１１  バス
【要約】
【課題】  ＡＯＣ又はＵＰＳを用いることなく、リモート制御によって情報機器のＡＣ電源のＯＦＦ／ＯＮを可能にする。
【解決手段】  制御装置は、待機電源で動作し、かつ、リモート制御によって待機電源からの電力供給のオン／オフを管理する管理手段を備える情報機器の制御装置であって、待機電源の供給ラインに設置され、待機電源をオン／オフするスイッチと、待機電源をオフする期間を設定するタイマーを有し、スイッチを制御する制御回路と、待機電源のオフ時に、制御回路に電力を供給する電力供給源と、を備え、制御回路は、タイマーの期間経過に待機電源がオンになるようスイッチを制御する。
【選択図】  図１【図１】
0005979297.tif 000002
【図２】
0005979297.tif 000003
【図３】
0005979297.tif 000004
【図４】
0005979297.tif 000005
【図５】
0005979297.tif 000006
【図６】
0005979297.tif 000007
【図７】
0005979297.tif 000008
【図８】
0005979297.tif 000009